(57)【要約】【課題】洗浄や乾燥行程中に漏出する蒸気による前面パネルや、システムキッチンのワークトップへの結露を防止することができる食器洗い機を提供する。【解決手段】洗浄槽１６内の空気を第１の排気口２４より排出する第１の送風手段２２と、洗浄槽１６内の温度を検知する温度検知手段３０と、第１の排気口２４から排出された空気に外気を混入させる第２の送風手段２８と、洗浄・すすぎ・乾燥を逐次制御する制御手段３１とを備え、前記制御手段３１は、洗浄行程またはすすぎ行程の少なくとも一方において、洗浄槽１６内温度に応じて第２の送風手段２８の運転を制御するもので、第１の排気口２４から排出される蒸気が増えてきたら、第２の送風手段２８で、乾いた外気を混入させるようにすれば、第２の排気口２６から排出される蒸気による前面パネル２５や、システムキッチンのワークトップ４０への結露を防止できる。【選択図】図１
2007275158.tif 000002
【特許請求の範囲】
【請求項１】
食器洗い機本体内に設けた洗浄槽と、前記洗浄槽の内底部に設けた洗浄ノズルと、前記洗浄槽内の空気を第１の排気口より排出する第１の送風手段と、外気と連通すると共に排気経路を介して前記第１の排気口と連通する第２の排気口と、前記洗浄槽内の温度を検知する温度検知手段と、前記第１の排気口から排出された洗浄槽内の空気に外気を混入させる第２の送風手段と、洗浄・すすぎ・乾燥の各行程を逐次制御する制御手段とを備え、前記制御手段は、洗浄行程またはすすぎ行程の少なくとも一方の行程において、前記洗浄槽内の温度に応じて前記第２の送風手段の運転を制御する食器洗い機。
【請求項２】
洗浄槽内の温度が、所定の温度に達したとき、第２の送風手段を運転させる請求項１に記載の食器洗い機。
【請求項３】
第２の送風手段の運転に合わせて、第１の送風手段を運転させる請求項１又は２に記載の食器洗い機。
【発明の詳細な説明】
【技術分野】
【０００１】
本発明は、食器等の洗浄および乾燥を行う食器洗い機に関するものである。
【背景技術】
【０００２】
従来、この種の食器洗い機は、図２に示すように構成されていた。以下、その構成について説明する。
【０００３】
図２に示すように、システムキッチンに収容された食器洗い機本体１内に設けた洗浄槽２は、上方に開口部３を有し、食器類４を収容する食器かご５を配置している。食器かご５の下方には、洗浄ノズル６を回転自在に設けており、洗浄槽２内に溜めた洗浄水をポンプ７によって循環させ、洗浄ノズル６より洗浄水を噴射して食器類４を洗浄する。
【０００４】
また、洗浄槽２の前部に設けられた前面パネル８の上部には、排気口９が設けられ、送風手段１０によって洗浄槽２内の空気を排気口９より機外へ排出して食器類４の乾燥をするようになっている。
【０００５】
洗浄槽２の側部には、第１のレール１１が固定され、その第１のレール１１は、食器洗い機本体１に固定した第２のレール１２によって、前後方向へ平行移動可能に支持されている。食器類４の洗浄槽２への出し入れを行う際には、前面パネル８に設けられたハンドル１３をつかみ、洗浄槽２を前方に引き出し、上方の開口部３より食器類４の収容をする。
【０００６】
次に洗浄槽２を、食器洗い機本体１に戻し、運転を開始すると、洗浄槽２の底部に配置されたヒータ１４よって洗浄水を加熱しながら、洗浄ノズル６から食器類４に向かって洗浄水が噴射し、食器類４の汚れを落とす洗浄行程を行う。その後、食器類４をすすいだ後、乾燥行程を行って運転を終了するようになっている（例えば、特許文献１参照）。
【特許文献１】特開２００１−０４６３０１号公報
【発明の開示】
【発明が解決しようとする課題】
【０００７】
しかしながら、このような従来の食器洗い機の構成では、前面パネル８に設けられた排気口９は、乾燥行程終了後も、洗浄槽２内が結露しないように常時開放しているため、洗浄あるいはすすぎ行程において、洗浄槽２内の水温が上昇したとき、蒸気が排気口９より漏出する。この漏出した蒸気は、周囲の雰囲気温度が低い場合、蒸気が漏出する排気口９の周辺との温度差により、排気口９のある前面パネル８や食器洗い機本体１が収納されるシステムキッチンのワークトップ４０の前方下部に結露しやすく、又、床への滴下や、ユーザーがキッチンを移動する際に、衣服に結露水が付着するという課題を有していた。
【０００８】
また、この結露が床に滴下しないように、排気口９の下部に受け部を設けることもできるが、受け部が前方に突出するため、ユーザーがキッチンを移動する際に邪魔になるという課題を有していた。
【０００９】
本発明は、上記従来の課題を解決するもので、洗浄および乾燥行程中に、洗浄槽内の水温が上昇したときでも、排気口から漏出する蒸気による前面パネルや、システムキッチンのワークトップへの結露を防止することができる食器洗い機を提供することを目的としている。
【課題を解決するための手段】
【００１０】
上記従来の課題を解決するために、本発明の食器洗い機は、食器洗い機本体内に設けた洗浄槽と、前記洗浄槽の内底部に設けた洗浄ノズルと、前記洗浄槽内の空気を第１の排気口より排出する第１の送風手段と、外気と連通すると共に排気経路を介して前記第１の排気口と連通する第２の排気口と、前記洗浄槽内の温度を検知する温度検知手段と、前記第１の排気口から排出された洗浄槽内の空気に外気を混入させる第２の送風手段と、洗浄・すすぎ・乾燥の各行程を逐次制御する制御手段とを備え、前記制御手段は、洗浄行程またはすすぎ行程の少なくとも一方の行程において、前記洗浄槽内の温度に応じて前記第２の送風手段の運転を制御するもので、例えば、洗浄槽の温度が上昇してきて、第１の排気口から排出される蒸気が増えてきたら、第２の送風機の運転を行って、乾いた外気を第１の排気口から排出された蒸気に混入させるようにすれば、第２の排気口から排出される蒸気による前面パネルや、システムキッチンのワークトップへの結露を防止することができる。
【発明の効果】
【００１１】
本発明の食器洗い機は、洗浄および乾燥行程中に、洗浄槽内の水温が上昇したときでも、排気口から漏出する蒸気による前面パネルや、システムキッチンのワークトップへの結露を防止することができる。
【発明を実施するための最良の形態】
【００１２】
第１の発明は、食器洗い機本体内に設けた洗浄槽と、前記洗浄槽の内底部に設けた洗浄ノズルと、前記洗浄槽内の空気を第１の排気口より排出する第１の送風手段と、外気と連通すると共に排気経路を介して前記第１の排気口と連通する第２の排気口と、前記洗浄槽内の温度を検知する温度検知手段と、前記第１の排気口から排出された洗浄槽内の空気に外気を混入させる第２の送風手段と、洗浄・すすぎ・乾燥の各行程を逐次制御する制御手段とを備え、前記制御手段は、洗浄行程またはすすぎ行程の少なくとも一方の行程において、前記洗浄槽内の温度に応じて前記第２の送風手段の運転を制御するもので、例えば、洗浄槽の温度が上昇してきて、第１の排気口から排出される蒸気が増えてきたら、第２の送風機の運転を行って、乾いた外気を第１の排気口から排出された蒸気に混入させるようにすれば、第２の排気口から排出される蒸気による前面パネルや、システムキッチンのワークトップへの結露を防止することができる。
【００１３】
第２の発明は、特に、第１の発明の洗浄槽内の温度が、所定の温度に達したとき、第２の送風手段を運転させるもので、第２の送風手段を、洗浄・すすぎ行程で洗浄水が結露を発生させる温度に合わせて、無駄なく効率よく運転することができる。
【００１４】
第３の発明は、特に、第１又は第２の発明の第２の送風手段の運転に合わせて、第１の送風手段を運転させるもので、第１の送風手段による排気風で、第２の送風手段による排気が洗浄槽側へ逆流するのを防止することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における食器洗い機の断面図である。
【００１７】
図１において、システムキッチン（図示せず）に収容された食器洗い機本体１５の内部に設けた洗浄槽１６は、上方に開口部１７を有し、食器類１８を収容する食器かご１９を配置している。食器かご１９の下方には、洗浄水を噴射する洗浄ノズル２０を回転自在に設けるとともに、洗浄槽１６内に溜めた洗浄水を、洗浄ノズル２０を介して循環するポンプ２１を設けている。また、底部には洗浄水と第１の送風手段２２によって送風される空気とを加熱するヒータ２３を配設している。
【００１８】
第１の排気口２４は、洗浄槽１６の前方に設けた前面パネル２５と洗浄槽１６との間に配設され、第１の送風手段２２によって洗浄槽１６内の空気を排出するためのもので、洗浄槽１６の上方に配置されている。また、第２の排気口２６は、外気と連通すると共に前面パネル２５の後方に設けられ、第１の排気口２４と第２の排気口２６は、排気経路２７で連通されている。
【００１９】
第２の送風手段２８は、第１の送風手段２２とほぼ同じ能力を有し、図示しない取り入れ口より外気を取り入れ、前面パネル２５の後方に配設した送風経路２９を介して、第２の排気口２６に送風するようにしたもので、送風経路２９は、排気経路２７と前後方向で面接触するよう配設され、第２の排気口２６で、洗浄槽１６から排出された空気と外気が混合するよう構成されている。
【００２０】
また、洗浄槽１６の下部には、洗浄水の温度を検知する温度検知手段３０を設け、洗浄・すすぎ・乾燥行程を逐次制御する制御手段３１は、温度検知手段３０からの信号によって第１の送風手段２２、第２の送風手段２８の運転時間を制御するよう構成しており、洗浄・すすぎ行程で、温度検知手段３０によって、洗浄槽１６の温度が一定の温度（例えば５０℃）に達したことを検知すると、第２の送風手段２８が運転し、乾燥行程に入ると、第２の送風手段２８を運転するとともに、第１の送風手段２２を数分間間欠運転させた後連続運転させ、一定の時間経過後に、第２の送風手段２８を間欠運転するようにしている。
【００２１】
また、洗浄槽１６の下方には、第１のレール３２を固定しており、第１のレール３２は食器洗い機本体１５に固定した第２のレール３３によって、前後方向へ平行移動可能に支持されている。食器類１８の出し入れを行う際には、前面パネル２５に設けられたハンドル３４をつかみ、洗浄槽１６を前方に引き出し、上方の開口部１７より食器類１８の出し入れを行う。
【００２２】
以上のように構成された本実施の形態における食器洗い機の動作、作用を以下に説明する。
【００２３】
まず、使用者が前面パネル２５に設けたハンドル３４をつかみ洗浄槽１６を食器洗い機本体１５から引き出し、洗浄槽１６内に配置した食器かご１９に汚れた食器類１８をセットする。次に洗浄槽１６を食器洗い機本体１５に戻し、運転を開始すると、洗浄槽１６内底に配置されたヒータ２３によって洗浄水を加熱しながら、洗浄ノズル２０から食器類１８に向かって洗浄水が噴射され、食器類１８の汚れを落とす洗浄行程を行う。
【００２４】
その後、数回の溜めすすぎを行った後、ヒータ２３で洗浄水を約８０℃に加熱しながらすすぐ、加熱すすぎ行程を行った後、ヒータ２３によって空気を加熱しながら、第１の送風手段２２によって水分を多く含んだ加熱空気を、第１の排気口２４より排気経路２７を経て外部に排出しつつ、食器類１８および洗浄槽１６内部を乾かす乾燥行程を行って運転を終了する。
【００２５】
洗浄および加熱をするすすぎ行程において、洗浄槽１６内の温度が上昇するにつれて洗浄槽１６の上方に配置された第１の排気口２４から蒸気が漏出する。このとき、温度検知手段３０により蒸気が発生する洗浄水温（約４０℃）を検知し、蒸気が、排気経路２７を通過し、第２の排気口２６に向かう途中、第２の送風手段２８によって取り入れられた洗浄槽１６外の乾いた空気と混合することで、前面パネル２５や、システムキッチンのワークトップ４０への結露を防止することができる。
【００２６】
また、乾燥行程に進行し、洗浄槽１６内の湿気を多く含んだ約７０〜８０℃の排気が大量に排出される際に、雰囲気温度が低い場合、温度差が大きいため、第２の排気口２６の周辺は結露しやすいが、加熱をするすすぎ行程時に、第２の送風手段２８を運転し、洗浄槽１６周辺の温度の高い乾いた空気を排出することで、第２の排気口２６の周辺の温度を、雰囲気温度より高い温度まで上昇させることができるため、温度差が小さくなり、結露の発生を抑制することができる。
【００２７】
また、第２の送風手段２８を運転する際に、第１の送風手段２２を運転することで、第２の送風手段２８の風が、送風経路２９から排気経路２７へ流入し、洗浄槽１６を介して第１の送風手段２２から機外へ洗浄槽１６内の湿った空気が逆流するのを防止することができる。
【００２８】
このように本実施の形態によれば、食器洗い機本体１５内に設けた洗浄槽１６と、前記洗浄槽１６の内底部に設けた洗浄ノズル２０と、前記洗浄槽１６内の空気を第１の排気口２４より排出する第１の送風手段２２と、前記洗浄槽１６内の温度を検知する温度検知手段３０と、前記第１の排気口２４から排出された洗浄槽１６内の空気に外気を混入させる第２の送風手段２８と、洗浄・すすぎ・乾燥の各行程を逐次制御する制御手段３１とを備え、前記制御手段３１は、洗浄行程またはすすぎ行程の少なくとも一方の行程において、洗浄槽１６内の温度を検知して第２の送風手段２８の運転を制御することにより、洗浄および乾燥行程中に、洗浄槽１６内の水温が上昇したときでも、第２の排気口２６から漏出する蒸気による前面パネル２５や、システムキッチンのワークトップ４０への結露を防止することができる。
【００２９】
また、洗浄槽１６内の温度が一定の温度に達したとき、第２の送風手段２８を運転させることにより、第２の送風手段２８を、洗浄・すすぎ行程で洗浄水が結露を発生させる温度に合わせて運転することができる。
【００３０】
また、第２の送風手段２８の運転に合わせて、第１の送風手段２２を運転させることにより、第２の送風手段２８による排気を、第１の送風手段２２の排気によって洗浄槽１６側へ逆流するのを防止することができる。
【産業上の利用可能性】
【００３１】
以上のように、本発明に係る食器洗い機は、洗浄および乾燥行程中に、洗浄槽内の水温が上昇したときでも、排気口から漏出する蒸気による前面パネルや、システムキッチンのワークトップへの結露を防止することができるもので、食器洗い機に限らず、蒸気を排出する衣類乾燥機、厨芥処理機などの各種機器に広く適用できる。
【図面の簡単な説明】
【００３２】
【図１】本発明の実施の形態１における食器洗い機の側断面図
【図２】従来の食器洗い機の側断面図
【符号の説明】
【００３３】
１６  洗浄槽
２２  第１の送風手段
２４  第１の排気口
２５  前面パネル
２６  第２の排気口
２８  第２の送風手段
３０  温度検知手段
３１  制御手段
４０  ワークトップ
【図１】
2007275158.tif 000003
【図２】
2007275158.tif 000004